(57)【特許請求の範囲】
【請求項１】
底面が開放されたキャビネットと、
前記開放された底面を通って前記キャビネットの内外へ昇降する昇降ラックと、
前記キャビネットの前面に配置された扉と、
前記扉の内側に配置され前記昇降ラック内の熱源からの熱を断熱する断熱材と、
前記断熱材を前記扉の内側に固定する断熱材固定具とを含み、
前記断熱材は前記扉の内側の実質的に全面を覆う形状を有し、
前記断熱材固定具の形状は、前記断熱材を殆ど隙間なく収容する容器状であることを特徴とする昇降式吊戸棚。
【請求項２】
前記扉は複数の板材を含み、前記断熱材固定具は前記複数の板材を連結することを特徴とする請求項１に記載の昇降式吊戸棚。
【請求項３】
前記断熱材固定具は亜鉛鋼板製であることを特徴とする請求項１または２に記載の昇降式吊戸棚。
【請求項４】
前記断熱材は発泡樹脂製であることを特徴とする請求項１から３までのいずれかに記載の昇降式吊戸棚。
【発明の詳細な説明】
【技術分野】
【０００１】
本発明は、システムキッチンの上方の壁面に設けられる吊戸棚であって、内部に昇降ラックを収納する昇降式吊戸棚に関するものである。
【背景技術】
【０００２】
昨今のシステムキッチンには、シンク下等以外にも収納スペースを確保するため、システムキッチンの上方の空間に吊戸棚や収納庫を配置するものがある。しかし、かかる高所に設けられた吊戸棚や収納庫は、被収納物の出し入れが面倒である。そこで、被収納物の出し入れを容易にするために、たとえば下方を開放したキャビネット内に昇降自在の昇降ラックを設けた昇降式吊戸棚が提案されている（例えば特許文献１）。
【０００３】
さらに、特許文献２に示すように、昇降式吊戸棚内部にファンとヒータからなる送風機を設けることにより、昇降式吊戸棚は、日常頻繁に用いる食器やまな板、布巾等を乾燥させつつ収納できる乾燥庫としても利用できる。
【特許文献１】特開２００４−１８７７６８号公報
【特許文献２】特開平１１−２０６４７５号公報
【発明の開示】
【発明が解決しようとする課題】
【０００４】
しかし、昇降式吊戸棚を乾燥庫として使用する際、食器や布巾を乾燥させるためヒータが発した熱は、乾燥庫内の食器や布巾だけでなく、昇降式吊戸棚の他の部材にも伝導されてしまう。
【０００５】
とりわけ、吊戸棚のキャビネット前面を構成する木製の扉に熱が伝導されると、部材に反りが生じてしまうおそれがある。吊戸棚の外観を構成する部材である扉に反りが生じると、美観を損ねる場合もある。特に扉またはその周辺の部材が可動式である場合、扉に反りが生じると、摺擦による異音の発生や、動作不良を招くおそれもある。
【０００６】
本発明は、従来の昇降式戸棚が有する上記課題に鑑みてなされたものであり、キャビネット内部に設けられた乾燥機などの熱源が発する熱によるキャビネットの扉の変形を防止する昇降式吊戸棚を提供することを目的とする。
【課題を解決するための手段】
【０００７】
上記問題を解決するために、本発明による昇降式吊戸棚は、底面が開放されたキャビネットと、開放された底面を通ってキャビネットの内外へ昇降する昇降ラックと、キャビネットの前面に配置された扉と、扉の内側に配置され昇降ラック内の熱源からの熱を断熱する断熱材と、断熱材を扉の内側に固定する断熱材固定具とを含み、断熱材は扉の内側の実質的に全面を覆う形状を有し、断熱材固定具の形状は、断熱材を殆ど隙間なく収容する容器状であることを特徴とする。
【０００８】
上記構成によれば、キャビネットの前面に配置された扉に固定された断熱材は、キャビネット内部に設けられた熱源から扉に伝わる熱を遮断し、あるいは減少させることができる。
【０００９】
また特に、上記断熱材は扉の内側の実質的に全面を覆う形状を有し、断熱材固定具の形状は、断熱材を殆ど隙間なく収容する容器状である。かかる形状の断熱材固定具ならば、施工時には、断熱材と断熱材固定具とが実質的に嵌合するため、これらの位置合わせに配慮する必要はなくなり、扉に対する断熱材固定具の位置のみに配慮して固定するだけで、施工を円滑に行うことができるからである。
【００１０】
上記の扉は複数の板材を含んでよく、その場合、断熱材固定具は複数の板材を連結するとよい。製造上、またはデザイン上の理由で、扉を複数の板材で構成した場合であっても、断熱材固定具を用いれば、扉を一体に組み立てることができるからである。すなわち、断熱材固定具は、断熱材を固定するという本来の機能に加えて、扉を構成する複数の板材を互いに連結する機能も有する。
【００１１】
上記断熱材固定具は亜鉛鋼板製にするとよい。とりわけ、上記の金属は亜鉛鋼板（亜鉛めっきを施した鋼板）にするとよく、その金属表面を耐食塗料やフッ素樹脂で被覆されているとよい。亜鉛鋼板製とすることにより、断熱材固定具の耐食性を確保でき、表面を耐食塗料やフッ素で被覆することにより、更に耐食性を上昇させることができるからである。
【００１２】
また、上記断熱材は発泡樹脂製とするとよい。断熱とともに扉の重量の軽量化も図られるからである。
【発明の効果】
【００１３】
本発明によれば、昇降式吊戸棚において、キャビネット内部の熱源から発する熱による扉の加熱および変形を防ぎ、昇降式吊戸棚の動作や美観を保持することが可能である。
【発明を実施するための最良の形態】
【００１４】
以下、添付図面を参照して本発明による昇降式吊戸棚の実施形態を詳細に説明する。図中、本発明に直接関係のない要素は図示を省略する。また、同様の要素は同一の参照符号によって表示する。なお、以下の実施形態に示す寸法、材料、その他具体的な数値などは、発明の理解を容易とするための例示に過ぎず、特に断る場合を除き、本発明を限定するものではない。
【００１５】
本実施形態の特徴は、昇降式吊戸棚の断熱材および断熱材固定具にあるが、それらに先んじて、まず、昇降式吊戸棚の外観および駆動機構について説明する。図１は、本発明の実施形態である昇降式吊戸棚（以下「吊戸棚」と略称する）およびシステムキッチンの全体図である。吊戸棚１００は、その収納物をキッチン使用者の目の高さまで下ろし、高所にある扉を開閉することなく収納物を取り出せるようにしたものである。
【００１６】
本実施形態に係る吊戸棚１００の下方には、システムキッチン１１０が設置されている。システムキッチン１１０のワークトップ１２０は、シンク１３０、調理スペース１４０およびコンロ１５０の概ね３つの部位で構成されている。かかるシステムキッチン１１０のうち、シンク１３０および調理スペース１４０の幅にわたる領域の上方において、吊戸棚１００は、壁５００に背面を固定支持されている。一方、火気を扱うコンロ１５０の上方には、吊戸棚１００に隣接して、レンジフード１６０が同様に壁５００に固定支持されている。
【００１７】
吊戸棚１００は、底面が開放されたキャビネット１７０と、その開放された底面を通ってキャビネット１７０の内外へ昇降する昇降ラック１８０とを含む。昇降ラック１８０は収納部を有し、前面の大部分が開放されていて、食器や台所回りの物品を出し入れすることができる。また昇降ラック１８０は、収納機能のほか、後述のように、乾燥機能を備えている。
【００１８】
キャビネット１７０の前面には上扉１７２と下扉１７４とが配置されていて、昇降ラック１８０が下降してキャビネット１７０の下方に出現するときは、これと連動して下扉１７４が上方へ移動する。
【００１９】
以下に昇降ラック１８０と、下扉１７４とを連動させる駆動機構について説明する。図２は、図１の昇降ラック１８０の駆動機構を示した図である。図２では明確化のため、下扉１７４は図示を省略している。
【００２０】
まず、昇降ラック１８０の駆動機構について説明する。モータ１９０の回転によって、水平方向に左右に２条の幅広ベルト２００が巻き出される。これらのベルトは、キャビネット１７０の両側板の近傍に固定設置された転向プーリ２１０（定滑車）によって垂直方向に転向され、端部はそれぞれ昇降ラック１８０に固定されたプーリ（動滑車）を巻回して、キャビネット１７０の上方に固定されている。したがって、駆動モータ１９０の回転によって、昇降ラック１８０は昇降する。
【００２１】
図３は図１の下扉の昇降機構を示す図である。なお図３では明確化のため、上扉１７２は図示を省略している。昇降ラック１８０の両端部に２条の小幅ベルト２２０の端部が固定され、上方に向かって走行し、キャビネット１７０の両側板の近傍に設置された２つのプーリ体にそれぞれ到達する。図３ではこれらプーリ体のうち、一方のプーリ体２３０Ａのみを示している。
【００２２】
以下、左右対称の構成であるため一方のプーリ体２３０Ａを代表として説明すると、プーリ体２３０Ａには大径プーリ２３２Ａと小径プーリ２３４Ａとが同軸回転するよう設けられている。昇降ラック１８０から到来する小幅ベルト２２０は大径プーリ２３２Ａに巻き取られ、小径プーリ２３４Ａに巻き取られる連動ベルト２３６は、昇降移動可能なブラケット２４０に固定されている。ブラケット２４０はその可動範囲を梁２４２によって制限されている。そして、ブラケット２４０に、下扉１７４の両端の扉金具３１０Ａ、３１０Ｂが連結されることにより、下扉１７４はキャビネット１７０に連結される。
【００２３】
以上の構成によれば、駆動モータ１９０の回転による昇降ラック１８０の昇降に起因して、プーリ体２３０Ａの大径プーリ２３２Ａ・小径プーリ２３４Ａが同軸回転し、カウンタウェイトに相当する下扉１７４も昇降ラック１８０と反対方向に昇降する。ただし、上述のようにプーリ体２３０Ａを構成するプーリの径に差があるため、大径プーリ２３２Ａを回転させる昇降ラック１８０の昇降ストロークに比較して、小径プーリ２３４Ａの回転によって昇降する下扉１７４の昇降ストロークは短くなる。
【００２４】
図４は図１の昇降ラック１８０の斜視図である。同図では明確化のため、上扉１７２、下扉１７４は図示を省略している。本実施形態における昇降ラック１８０の左側はまな板や布巾を加熱除菌する除菌乾燥庫２５０となっていて、これに隣接して右側に食器等の水きり乾燥室２６０が設けられている。除菌乾燥庫２５０の前面だけは開放されていず、取っ手付きの透明な除菌乾燥庫扉２５２が設けられている。除菌乾燥庫２５０の内部には、熱源としてＰＴＣ（Positive Temperature Coefficient）ヒータを内部に設けた三角柱状の加熱板２７０が上下に２つ設けられている。
【００２５】
除菌乾燥庫２５０に隣接した食器類の水きり乾燥室２６０にも、除菌乾燥庫２５０から横方向に温風を流すことにより、上記の１つの熱源により、水切り乾燥室２６０の乾燥も行う。これは、熱源からの熱風を除菌乾燥庫２５０と水切り乾燥室２６０との隔壁に設けたダクトを通して循環させることにより行う。水切り乾燥室２６０の外へは所定の排気孔により排気を行う。
【００２６】
加熱板２７０の内部のＰＴＣヒータからは、乾燥運転終了後、送風することにより、除菌乾燥庫および内容物の冷却を行う。
【００２７】
また吊戸棚１００は、冷却完了するまで昇降ラック１８０を下降させない制御機構を有する。これは、温度センサにより設定した温度までキャビネット１７０内部の温度が下がらないうちは下降させないこととすればよい。あるいは、その温度まで下がっていなくとも、警報手段を設けて警報を発しながら下降させることとしてもよいし、下降速度を通常より遅くするよう制御してもよい。
【００２８】
上述したとおり、キャビネット１７０の前面には上扉１７２と下扉１７４とが配置されていて、これらは、昇降ラック１８０がキャビネット１７０に収容されているときに、昇降ラック１８０内の収納物を被覆している。そして昇降ラック１８０が下降してキャビネット１７０の下方に出現するときは、これと連動して下扉１７４が上方へ移動する。これにより、昇降ラック１８０の上端がキャビネット１７０の下端より下降せずとも、昇降ラック１８０の開放前面は使用者の目の前に出現する。
【００２９】
ここで本実施形態の特徴である断熱材および断熱材固定具について説明する。扉内側の断熱構造は、上扉１７２および下扉１７４について共通であるため、以下、下扉１７４を用いて、断熱構造について説明する。
【００３０】
図５は下扉１７４を含む断熱構造の組立図である。下扉１７４を構成する２枚の板材１７６Ａ、１７６Ｂの間隙にはパッキン３００が設けられている。加熱される熱源を有する昇降ラック１８０を被覆する下扉１７４には、その内側に、断熱材２８０として、厚さ８ｍｍ程度の発泡ＰＰ（ポリプロピレン）が配置される。
【００３１】
なお断熱材２８０は他の発泡樹脂製としてもよい。断熱とともに扉の重量の軽量化も図られるからである。
【００３２】
断熱材２８０の形状は、典型的には、矩形の板材、もしくはシートとしてよい。また、断熱材２８０は下扉１７４の内側の実質的に全面を覆う形状を有する。なお図５では、扉金具３１０Ａ、３１０Ｂを回避するため、略Ｔ字形形状の板状体となっている。ただし、下扉１７４の内側面の実質的に全体を断熱可能な形状であれば、いかなる形状であってもよく、複数の断熱材で下扉１７４の内側面を被覆してもよい。
【００３３】
一方、断熱材固定具２９０の形状は、断熱材２８０を殆ど隙間なく収容する容器状である。したがって、断熱材固定具２９０の内部に断熱材２８０を嵌合した状態で断熱材２８０を固定可能である。なお断熱材固定具２９０は、下扉１７４を構成する２枚の板材１７６Ａ、１７６Ｂを連結する役割も兼ねている。
【００３４】
上述の形状の断熱材固定具２９０ならば、施工時には、断熱材２８０と断熱材固定具２９０とは実質的に嵌合するため、これらの位置合わせに配慮する必要はなくなり、下扉１７４に対する断熱材固定具２９０の位置だけに配慮して固定すればよいため、施工が円滑に進む。
【００３５】
また、下扉１７４は、２枚の板材１７６Ａ、１７６Ｂを含んでいて、断熱材固定具２９０はこれらの板材１７６Ａ、１７６Ｂを連結している。このように、製造上、またはデザイン上の理由で、下扉１７４を複数の板材で構成している場合であっても、断熱材固定具２９０を用いれば、下扉１７４を一体に組み立てることができる。すなわち、断熱材固定具２９０は、断熱材２８０を固定するという本来の機能に加えて、下扉１７４を構成する２枚の板材１７６Ａ、１７６Ｂを互いに連結する機能も有する。
【００３６】
なお断熱材固定具２９０は、断熱材２８０を固定可能なものであれば、断熱材２８０を完全に被覆する容器状に限られず、いかなる形状をしていてもよい。たとえば断熱材２８０の数箇所を固定箇所として選択し、断熱材２８０が露出した状態で下扉１７４に固定するものでもよい。
【００３７】
本実施形態では、断熱材固定具２９０は亜鉛鋼板製（亜鉛めっきを施した鋼板）であり、その金属表面を耐食塗料やフッ素樹脂で被覆（コーティング）している。亜鉛鋼板製とすることにより、断熱材固定具２９０の耐食性を確保でき、フッ素等でコーティングすることにより、更に耐食性を上昇させることができるからである。
【００３８】
図６は図５のようにして組み立てられた断熱構造の背面斜視図である。上記構成によれば、キャビネット１７０の前面に配置された下扉１７４に固定された断熱材２８０は、昇降ラック１８０内部の熱源、すなわち加熱板２７０が発する熱を遮断（断熱）し、あるいは下扉１７４に伝わる熱を減少させることができる。これにより、板材１７６Ａ、１７６Ｂが熱の影響によって反り返る等の変形を防止できる。
【００３９】
なお、本実施形態では、上扉１７２および下扉１７４は、いずれも、２枚ずつの板材を用いて構成されているが、１枚の板材で構成してもよい。ただしキャビネットの寸法が大きくなる場合に、長尺の木材を準備するとコストが増大することから、２枚ないし複数枚の板材を連結することにより、生産コストの低減を図ることができる。
【００４０】
本実施形態では、可動する下扉１７４を例にあげて断熱構造を説明したが、昇降しない上扉１７２にも同様の断熱構造を設けてよいことは言うまでもない。
【００４１】
以上、添付図面を参照しながら本発明の好適な実施形態について説明したが、本発明は係る例に限定されないことは言うまでもない。当業者であれば、特許請求の範囲に記載された範囲内において、各種の変更例または修正例に想定し得ることは明らかであり、それらについても当然に本発明の技術的範囲に属するものと了解される。
【産業上の利用可能性】
【００４２】
本発明は、システムキッチンの上方の壁面に設けられる吊戸棚であって、内部に昇降ラックを収納する昇降式吊戸棚に利用可能である。
【図面の簡単な説明】
【００４３】
【図１】本発明の実施形態である昇降式吊戸棚およびシステムキッチンの全体図である。
【図２】図１の昇降キャビネットの昇降機構を示す図である。
【図３】図１の下扉の昇降機構を示す図である。
【図４】図１の昇降キャビネットの図である。
【図５】図１の下扉を含む断熱構造の組立図である。
【図６】図５のようにして組み立てられた断熱構造の背面斜視図である。
【符号の説明】
【００４４】
１００  …昇降式吊戸棚
１１０  …システムキッチン
１７０  …キャビネット
１７２  …上扉
１７４  …下扉
１７６Ａ、１７６Ｂ  …板材
１８０  …昇降ラック
２５０  …除菌乾燥庫
２６０  …乾燥室
２７０  …加熱板
２８０  …断熱材
２９０  …断熱材固定具
【図１】
0005008481.tif 000002
【図２】
0005008481.tif 000003
【図３】
0005008481.tif 000004
【図４】
0005008481.tif 000005
【図５】
0005008481.tif 000006
【図６】
0005008481.tif 000007